(57)【要約】【課題】責任者権限がある者であればどのハンディターミナルからも責任者権限の業務を実行することが可能となる。【解決手段】ハンディターミナル１５は、入力される認証情報に基づいてオーダーステーション１９にアクセスすると、オーダーステーション１９から責任者権限業務を取得する。この取得した責任者権限業務を表示部２４に表示させる。オーダーステーション１９は、各操作者権限を設定するとともに、各ハンディターミナル１５に入力した操作者の操作者権限業務を管理する。アクセスされた認証情報を取得するとともに、認証情報に基づいて操作者権限設定テーブル５４１により認証情報が責任者権限か否かを判断する。その結果、認証情報が責任者権限として認証されると当該ハンディターミナル１５に責任者権限を通知する。【選択図】      図９
2010186415.tif 000002
【特許請求の範囲】
【請求項１】
複数のハンディターミナルと、この複数のハンディターミナルとの間で無線通信によるデータの送受信を行う無線基地局と、この無線基地局と通信回線とを介して前記データの送受信を可能に接続される上位装置とを備え、
前記各ハンディターミナルは、
表示部と、
各操作者の認証情報を入力する認証情報入力手段と、
この認証情報入力手段を介して入力される前記認証情報に基づいて前記無線基地局と前記通信回線とを介して前記上位装置にアクセスする認証アクセス手段と、
この認証アクセス手段によるアクセスに応答して前記上位装置から責任者権限を取得する責任者権限取得手段と、
この責任者権限取得手段により取得した前記責任者権限を閲覧するために前記表示部に表示させる表示手段と、を備え、
前記上位装置は、
各操作者の認証情報別にそれぞれ操作者権限を設定する操作者権限設定手段と、
前記各ハンディターミナルに前記認証情報を入力した操作者の前記操作者権限を管理するハンディターミナル管理手段と、
前記認証アクセス手段によりアクセスされた前記認証情報を取得する認証情報取得手段と、
この認証情報取得手段により取得した前記認証情報に基づいて前記操作者権限設定手段により前記認証情報が前記責任者権限か否かを判断する操作者権限判断手段と、
この操作者権限判断手段により前記認証情報が前記責任者権限として認証されると前記当該ハンディターミナルに前記責任者権限を通知する責任者権限通知手段と、
を備えたことを特徴とする無線オーダーシステム。
【請求項２】
複数のハンディターミナルと、この複数のハンディターミナルとの間で無線通信によるデータの送受信を行う無線基地局と、この無線基地局と通信回線とを介して前記データの送受信を可能に接続される上位装置とを備え、
前記各ハンディターミナルは、
表示部と、
各操作者の認証情報を入力する認証情報入力手段と、
この認証情報入力手段を介して入力される前記認証情報に基づいて前記無線基地局と前記通信回線とを介して前記上位装置にアクセスする認証アクセス手段と、
この認証アクセス手段によるアクセスに応答して前記上位装置から責任者権限を取得する責任者権限取得手段と、
この責任者権限取得手段により取得した責任者権限業務メニュー選択画面を前記表示部に表示させる表示手段と、
この表示手段により表示された前記責任者権限業務メニュー選択画面から所定の責任者権限業務メニューを選択して実行する責任者権限業務メニュー実行手段と、
この責任者権限業務メニュー実行手段により実行された前記責任者権限業務メニューを前記上位装置に送信する責任者権限業務メニュー送信手段を備え、
前記上位装置は、
各操作者の認証情報別にそれぞれ操作者権限を設定する操作者権限設定手段と、
前記各ハンディターミナルに前記認証情報を入力した操作者の前記操作者権限を管理するハンディターミナル管理手段と、
前記認証アクセス手段によりアクセスされた前記認証情報を取得する認証情報取得手段と、
この認証情報取得手段により取得した前記認証情報に基づいて前記操作者権限設定手段により前記認証情報が前記責任者権限か否かを判断する操作者権限判断手段と、
この操作者権限判断手段により前記認証情報が前記責任者権限として認証されると前記当該ハンディターミナルに前記責任者権限を通知する責任者権限通知手段と、
前記責任者権限業務メニュー実行手段により実行された前記責任者権限業務メニューを取得する責任者権限業務メニュー取得手段と、
を備えたことを特徴とする無線オーダーシステム。
【請求項３】
前記各ハンディターミナルは、
さらに、前記責任者権限の認証解除する責任者権限認証解除手段と、を備え、
前記上位装置は、
さらに、前記責任者権限認証解除手段により取得する責任者権限認証解除取得手段と、
この責任者権限認証解除取得手段により取得した前記認証解除伝文に基づいて前記ハンディターミナル管理手段に記憶されている前記操作者権限の認証解除する操作者権限認証解除手段と、
を備えたことを特徴とする請求項１又は２記載の無線オーダーシステム。
【請求項４】
複数のハンディターミナルと、この複数のハンディターミナルとの間で無線通信によるデータの送受信を行う無線基地局と、この無線基地局と通信回線を介して前記データの送受信を可能に接続される上位装置とを備え、
前記各ハンディターミナルは、
各操作者の認証情報を入力するステップと、
入力された前記認証情報に基づいて前記無線基地局と前記通信回線を介して前記上位装置にアクセスするステップと、
このアクセスに応答して前記上位装置から責任者権限を取得するステップと、
この取得した前記責任者権限を閲覧するために表示部に表示させるステップと、
前記上位装置は、
前記アクセスされた前記認証情報を取得するステップと、
この取得した前記認証情報に基づいて操作者権限設定手段により前記認証情報が前記責任者権限か否かを判断するステップと、
この操作者権限判断により前記認証情報が前記責任者権限として認証されると前記当該ハンディターミナルに前記責任者権限を通知するステップと、
を備えたことを特徴とする無線オーダー方法。
【請求項５】
複数のハンディターミナルと、この複数のハンディターミナルとの間で無線通信によるデータの送受信を行う無線基地局と、この無線基地局と通信回線とを介して前記データの送受信を可能に接続される上位装置とを備え、
前記各ハンディターミナルは、
各操作者の認証情報を入力するステップと、
こ入力された前記認証情報に基づいて前記上位装置に前記無線基地局と前記通信回線を介してアクセスするステップと、
このアクセスに応答して前記上位装置から責任者権限を取得するステップと、
この取得した責任者権限業務メニュー選択画面を表示部に表示させるステップと、
この表示されたから所定の責任者権限業務メニューを選択して実行するステップと、
この実行された責任者権限業務メニューを前記上位装置に送信するステップと、を備え、
前記上位装置は、
前記アクセスされた前記認証情報を取得するステップと、
この取得した前記認証情報が前記責任者権限か否かを判断するステップと、
この判断により前記認証情報が前記責任者権限として認証されると前記当該ハンディターミナルに前記責任者権限を通知するステップと、
前記責任者権限業務メニューを取得するステップと、
を備えたことを特徴とする無線オーダー方法。
【請求項６】
前記各ハンディターミナルは、
さらに、前記責任者権限の認証解除を実行するステップと、を備え、
前記上位装置は、
さらに、責任者権限認証解除を取得するステップと、
この取得した前記認証解除伝文に基づいて前記ハンディターミナル管理手段に記憶されている前記操作者権限の認証解除するステップと、
を備えたことを特徴とする請求項４又は５記載の無線オーダー方法。
【発明の詳細な説明】
【技術分野】
【０００１】
本発明は、例えば、飲食店などで用いられる無線オーダーシステムおよび無線オーダー方法に関する。
【背景技術】
【０００２】
従来、レストランなどの飲食店で用いられる無線オーダーシステム等では注文情報や顧客情報等の各種オーダーデータを入力するために複数のハンディターミナルと、各ハンディターミナルの上位装置であって各ハンディターミナルでは行うことができないように制限されている特定の業務を行うことができるオーダーステーションと、を無線基地局により相互通信可能に接続して構築されている。
【０００３】
この無線オーダーシステムにおいて複数のハンディターミナルを一元管理する上位装置は、メニュー情報等の各種ファイルが格納されている。たとえば、メニュー価格変更する場合には、店舗の責任者が価格変更するようになっている。
【０００４】
また、端末のキーボードから利用者コードを入力するとパスワードファイルにより利用者コードと該当するレコードがハンディターミナルへ送信される。そして、ハンディターミナルはパスワードファイルの該当するレコードを受信すると、パスワードレコードを照合しそのパスワードが正しければ予め指定された処理を開始する方法が知られている（たとえば、特許文献１参照）。
【特許文献１】特開昭６３−１０４５３６号公報
【発明の開示】
【発明が解決しようとする課題】
【０００５】
前記特許文献１には、特定の端末を利用するために利用者コードとパスワードを入力するとともに、入力したパスワードが正しければ予め指定された処理を行うように記載されている。しかし、前記特許文献１には、パスワードの照合方法についてのみ述べられているものである。
【０００６】
本発明の目的は、店舗の責任者権限があればどのハンディターミナルからも特定の業務をタイムリーに実行することが可能な無線オーダーシステムおよび無線オーダー方法を提供しようとするものである。
【課題を解決するための手段】
【０００７】
本発明に係る無線オーダーシステムの各ハンディターミナルは、表示部と、各操作者の認証情報を入力する認証情報入力手段と、この認証情報入力手段を介して入力される前記認証情報に基づいて前記無線基地局と前記通信回線とを介して前記上位装置にアクセスする認証アクセス手段と、この認証アクセス手段によるアクセスに応答して前記上位装置から責任者権限を取得する責任者権限取得手段と、この責任者権限取得手段により取得した前記責任者権限を閲覧するために前記表示部に表示させる表示手段と、を備え、
上位装置は、各操作者の認証情報別にそれぞれ設定される前記操作者権限を設定する操作者権限設定手段と、前記各ハンディターミナルに前記認証情報を入力した操作者の前記操作者権限を管理するハンディターミナル管理手段と、前記認証アクセス手段によりアクセスされた前記認証情報を取得する認証情報取得手段と、この認証情報取得手段により取得した前記認証情報に基づいて前記操作者権限設定手段により前記認証情報が前記責任者権限か否かを判断する操作者権限判断手段と、
この操作者権限判断手段により前記認証情報が前記責任者権限として認証されると前記当該ハンディターミナルに前記責任者権限を通知する責任者権限通知手段と、を備えた。
【０００８】
また、本発明に係る無線オーダー方法の各ハンディターミナルは、各操作者の認証情報を入力するステップと、入力された前記認証情報に基づいて前記上位装置に前記無線基地局と前記通信回線を介してアクセスするステップと、このアクセスに応答して前記上位装置から責任者権限を取得するステップと、この取得した前記責任者権限を閲覧するために表示部に表示させるステップと、を備え、
前記上位装置は、
前記アクセスされた前記認証情報を取得するステップと、この取得した前記認証情報に基づいて操作者権限設定手段により前記認証情報が前記責任者権限か否かを判断するステップと、この操作者権限判断により前記認証情報が前記責任者権限として認証されると前記当該ハンディターミナルに前記責任者権限を通知するステップと、を備えた。
【発明の効果】
【０００９】
本発明によれば、各操作者にそれぞれ設定された操作者権限によって、責任者権限ある店長等が責任者権限業務を実行することによりシステムのセキュリティを確保することが可能となる。
【発明を実施するための最良の形態】
【００１０】
以下、本発明の一実施の形態について図面を参照して説明する。
【００１１】
本発明の実施の形態は、たとえば、レストランなどの飲食店で使用される飲食店システムの無線オーダーシステムについて説明をする。
【００１２】
この無線オーダーシステムにおいて、店舗で利用する複数のハンディターミナルは、店舗の責任者権限のある店長や責任者以外の店員等の操作者が共用して使用する可能性があるため、操作者権限に応じてアクセス可能なアクセス権限を与えるようにしている。例えば、店舗の責任者権限の店長は、全ての業務に対してアクセス可能な責任者用アクセス権限を与えている。
【００１３】
また、責任者以外の店員等の場合は、登録、点検および設定の一部の業務に付いてアクセス可能な責任者以外アクセス権限を与えている。ここで、責任者権限とは、店員等にアクセス制限されているたとえば、メニュー価格の変更等の特定業務をいう。責任者以外権限とは、特定業務についてアクセスを制限している。
【００１４】
このように特定業務について店員等にアクセス制限することでこのシステムのセキュリティが確保される。
【００１５】
図１に示すように、飲食店システム１１は、店舗内に備えられた無線オーダーシステム１２と、インターネットや公衆回線等のネットワーク１３を介して接続され本部に備えられるホストコンピュータ１４との間でデータ通信可能に接続される構成となっている。
【００１６】
このホストコンピュータ１４は、前記ネットワーク１３を介して前記無線オーダーシステム１２とのデータ集配信や売上分析およびメンテナンス等の各種業務を処理する機能を有する。
【００１７】
店舗側の前記無線オーダーシステム１２は、図１に示すように店舗の責任者権限としての店長や責任者以外の店員等が共用する携帯可能な複数のハンディターミナル１５、天井などに設置されて前記各ハンディターミナル１５と無線通信可能な無線基地局としてのアクセスポイント１６、前記各ハンディターミナル１５からの注文メニューをキッチンの調理人に指示するために注文伝票を印字発行するキッチンプリンタ１７、チェックアウトカウンタ等に設置される会計装置であるＰＯＳ（Point of Sales:販売時点管理）ターミナル１８、前記無線オーダーシステム１２の全体をコントロールする前記ハンディターミナル１５の上位装置としてのオーダーステーション１９を備え、前記アクセスポイント１６、前記キッチンプリンタ１７、前記ＰＯＳターミナル１８および前記オーダーステーション１９はＬＡＮ(Local Area Network)等の通信回線２０によって接続されている。
【００１８】
そして、前記オーダーステーション１９は、インターネット上のＷＷＷ（World Wide Web）サーバとしての機能を備えており、前記ネットワーク１３を介して本部の前記ホストコンピュータ１４とデータ通信が可能となっている。なお、ハンディターミナル１５、アクセスポイント１６、キッチンプリンタ１７およびＰＯＳターミナル１８の設置数はいずれも任意に設置することが可能である。
【００１９】
無線オーダーシステム１２は、各ハンディターミナル１５によりオーダーメニュー情報が入力されると、このオーダーメニュー情報とともにハンディターミナル１５の端末番号がアクセスポイント１６を介してオーダーステーション１９に送信される。
【００２０】
オーダーステーション１９は、オーダーメニュー情報とともにハンディターミナル１５の端末番号をキッチンプリンタ１７およびＰＯＳターミナル１８に送信する。
【００２１】
無線オーダーシステム１２を構成するハンディターミナル１５とオーダーステーション１９とについて説明をする。なお、無線オーダーシステム１２を構成するアクセスポイント１６、キッチンプリンタ１７およびＰＯＳターミナル１８については構成および機能は周知技術と同等なものであるのでその説明を省略する。
【００２２】
まず、前記各ハンディターミナル１５の構成を説明する。
【００２３】
図２は、前記ハンディターミナル１５の要部構成を示すブロック図である。
【００２４】
前記ハンディターミナル１５は、図２に示すように、ＣＰＵ(Central Processing Unit)２１、このＣＰＵ２１が各部を制御するためのプログラムデータを格納するＲＯＭ(Read Only Memory)２２、前記ＣＰＵ２１が処理するデータを格納する記憶領域やテーブル等を形成したＲＡＭ(Random Access Memory)２３を設けている。
【００２５】
前記ＲＡＭ２３には、責任者権限フラグのメモリエリア２３１が形成されている。責任者権限フラグは、責任者権限の実行が認証されるとオン（ＯＮ）し、実行が禁止されるとオフ（ＯＦＦ）する。
【００２６】
ここで、操作者の認証情報である操作者ＩＤ、パスワードについて説明をする。前記ハンディターミナル１５を操作する必要がある操作者、例えば、店舗の責任者としての店長、責任者以外の店員等は本部から操作者ＩＤに対応したパスワードを知らされる。このパスワードは、例えば、店長、店員等の前記ハンディターミナル１５を操作する必要が生じた者に割り当てられる。この場合、人毎に異なるパスワードが割り当てられても、店長の責任者権限、店員等の責任者以外権限の権限毎に異なるパスワードが割り当てられても、いずれでもよい。
【００２７】
また、前記ハンディターミナル１５は、表示部２４、入力部２５、時計部２６およびアンテナ２７を接続した無線送受信部２８を設けている。
【００２８】
前記入力部２５には、操作者の認証情報入力手段２５１が特に設けている。
【００２９】
前記ＣＰＵ２１とＲＯＭ２２、ＲＡＭ２３、表示器２４、入力部２５、無線送受信部２７、時計部２８とはバスライン２９によって接続されている。
【００３０】
図３は、ハンディターミナル１５の表面図を示す。
【００３１】
図３に示すようにハンディターミナル１５は、本体ケース３１の表面の上部にタッチパネルつき表示部２４である液晶カラーディスプレイを備え、前記表示部２４の下部には、入力部２５が備えられている。この入力部２５には、「０〜９」、「送信」、「取消」、「Ｃ」、等のタッチ操作のボタンが設けられている。
【００３２】
前記表示部２４には、図４に示すように、操作者ＩＤおよびパスワードを表示する操作者認証画面、図５に示すように、責任者権限が実行する責任者権限業務画面を表示可能である。また、図示しないが、メニュー名、価格、合計金額等を表示するオーダー業務の画面が表示可能である。また、オーダーステーション１９からの責任者権限の各種情報を閲覧するために表示可能になっている。
【００３３】
次に、オーダーステーション１９の構成を説明する。
【００３４】
前記オーダーステーション１９は、図６に示すように、ＣＰＵ５１、このＣＰＵ５１が各部を制御するためのプログラムデータを格納するＲＯＭ５２、前記ＣＰＵ５１が処理するデータを格納する記憶領域や各種データを格納した各種ファイル等を形成したＲＡＭ５３、ＨＤＤ（Hard Disk Drive）５４を設けている。
【００３５】
ＨＤＤ５４には、操作者権限設定テーブル５４１、ハンディターミナル管理テーブル５４２を特に設けている。また、図示しないが、メニューコード、品名、単価等からなるメニューデータを記憶するメニューファイル、オーダーデータ等を記憶するオーダーファイル等を設けている。
【００３６】
図７に示すように、操作者権限設定テーブル５４１は、操作者ＩＤ、パスワード、氏名および責任者権限フラグから構成されている。ここで、責任者権限フラグのオン（ＯＮ）は、店長などの責任者権限を有する。また、責任者権限フラグのオフ（ＯＦＦ）は、店員などの責任者以外である。操作者権限設定テーブル５４１は、操作者権限設定手段として構成する。
【００３７】
また、図８に示すように、ハンディターミナル管理テーブル５４２は、予め各ハンディターミナル１５に割り振られている端末固有の端末番号別に、当該ハンディターミナル１５を使用する操作者の操作者ＩＤ、パスワード、氏名、当該ハンディターミナル１５が認証中か否かを示す認証フラグ（ＯＮ：認証中、ＯＦＦ：認証解除中）および当該ハンディターミナル１５が責任者権限の認証が与えられているか否かを示す責任者権限フラグ（ＯＮ：実行許可、ＯＦＦ：実行禁止）を記憶する。ここに、ハンディターミナル管理テーブル５４４は、ハンディターミナル管理手段を構成する。
【００３８】
また、前記オーダーステーション１９は、表示部５５、入力部５６、時計部５７、通信部５８およびプリンタ５９を設けている。
【００３９】
前記ＣＰＵ５１とＲＯＭ５２、ＲＡＭ５３、ＨＤＤ５４、表示部５５、入力部５６、時計部５７、通信部５８およびプリンタ５９とはバスライン６０によって接続されている。
【００４０】
図９は、各ハンディターミナル１５のＣＰＵ２１が実行する各種処理の要部を示すフローチャートである。
【００４１】
当該ハンディターミナル１５のＣＰＵ２１は、図９のフローチャートで示す動作処理を実行する。
【００４２】
先ず、ＣＰＵ２１は、図４に示すように表示部２４に操作者認証画面を表示させるとともに、ＳＴ（ステップ）１１として前記操作者認証画面に当該操作者の前記認証情報である操作者ＩＤとパスワードが入力されているか否かを判断する。なお、操作者ＩＤとパスワードは認証情報入力手段２５１から入力することができる。
【００４３】
そして、操作者ＩＤとパスワードが入力されている場合には、ＣＰＵ２１は、ＳＴ１２としてその操作者ＩＤとパスワードおよび当該ハンディターミナル１５の端末番号と含む認証情報伝文を作成する。そして、「送信」をタッチ操作すると、この認証情報伝文を当該ハンディターミナル１５の無線通信部２８とアンテナ２７とアクセスポイント１６と通信回線２０と通信部７６を介してオーダーステーション１９にアクセスする（認証アクセス手段）。
【００４４】
その後、ＣＰＵ２１は、ＳＴ１３としてオーダーステーション１９からの前記認証が成功したか否かの応答を待機する。
【００４５】
前記オーダーステーション１９のＣＰＵ５１は、いずれかのハンディターミナル１５からアクセスがあると、図１０のフローチャートに示す処理を開始する。
【００４６】
先ず、ＣＰＵ５１は、ＳＴ４１として当該ハンディターミナル１５から操作者の認証情報伝文である操作者ＩＤ、パスワードおよび端末番号を取得する（認証情報取得手段）。
【００４７】
ＳＴ４２として認証情報が有効か否かを判断する。ここで、認証情報伝文中の端末番号に対応するハンディターミナル管理テーブル５４２の認証フラグがオン（ＯＮ）している場合、又は認証情報伝文中の操作者ＩＤが操作者権限設定ファイル５４１に設定されていない場合には、認証を無効と判断する。その場合には、ＣＰＵ５１は、ＳＴ４３としてアクセス元のハンディターミナル１５に対して認証失敗の通知文を通信部５８と通信回線２０とアクセスポイント１６とアンテナ２７と無線通信部２８を介して送信して、この処理を終了する。
【００４８】
これに対して、認証情報伝文中のハンディターミナル１５の端末番号に対応するハンディターミナル管理テーブル５４２の認証フラグがオフ（ＯＦＦ）であり、また認証情報伝文中の操作者ＩＤがハンディターミナル管理テーブル５４２に設定されている場合には、認証を有効と判断する。その場合には、ＣＰＵ２１は、ＳＴ４４として認証情報伝文中のハンディターミナル１５の端末番号に対応するハンディターミナル管理テーブル５４２の認証フラグをオン（ＯＮ）にする。
【００４９】
また、ＳＴ４５として操作者権限設定テーブル５４１から認証情報伝文中の操作者ＩＤに対応する氏名および責任者権限フラグを読出し、ハンディターミナル管理テーブル５４２の当該端末番号に対応するエリアに、当該操作者ＩＤとともに氏名および責任者権限フラグを格納する。その後、ＣＰＵ２１は、ＳＴ４６として認証情報伝文のアクセス元の当該ハンディターミナル１５に対して認証成功の通知伝文を通信部５８と通信回線２０とアクセスポイント１６とアンテナ２７と無線通信部２８を介して送信する。
【００５０】
図９に説明を戻す。操作者の認証情報伝文をオーダーステーション１９に送信した当該ハンディターミナル１５のＣＰＵ２１は、オーダーステーション１９からＳＴ１３として認証成功の通知伝文を受信すると（ＳＴ１３−ＹＥＳ）、ＳＴ１４としてオーダーステーション１９から責任者権限の通知伝文を受信したか否かを判断する。ここで、一定時間内に責任者権限の通知伝文を受信しなかった場合には（ＳＴ１４−ＮＯ）、当該ハンディターミナル１５は責任者権限が認証されなかったので、ＳＴ１５として表示部２４に責任者以外用業務メニュー画面を表示させて、この処理を終了させる。また、認証成功の通知伝文を受信できない場合には（ＳＴ１３−ＮＯ）、ＳＴ１５の処理をして、終了させる。
【００５１】
これに対して、責任者権限の通知伝文を受信した場合には（ＳＴ１４−ＹＥＳ）、当該ハンディターミナル１５は責任者権限を認証されたので、ＣＰＵ２１は、ＳＴ１６としてメモリエリア２３１の責任者権限フラグをオン（ＯＮ）にする。また、ＳＴ１７として表示部２４に図５に示すように責任者権限業務画面を表示させる。その後、ＳＴ１８として図５に示すように、責任者権限業務画面の「ＯＫ」が操作され表示確認が指令されると、ＣＰＵ２１は、責任者権限業務画面を消去した後、ＳＴ１９として図示しない、責任者権限業務メニュー選択画面を表示させる。そして、前記責任者権限業務メニュー選択画面において責任者権限業務が選択されると、ＣＰＵ２１は、ＳＴ２０としてメモリエリア２３１の責任者権限フラグを調べる。そして、責任者権限フラグがオン（ＯＮ）している場合には、責任者権限業務の実行が認証されているので、メニュー価格変更等の所定の責任者権限業務を実行する（責任者権限業務実行手段）。
【００５２】
この責任者権限業務実行手段により責任者権限業務の実行が終了すると、当該ハンディターミナル１５の責任者権限の認証を解除するためにＳＴ２１として図示しない、「解除」ボタンを操作すると、メモリエリア２３１の責任者権限フラグがオフ（ＯＦＦ）になる。ＳＴ２２としてＣＰＵ２１は、操作者ＩＤとパスワードおよび当該ハンディターミナル１５の端末番号と含む認証解除伝文を作成する。この認証解除伝文を当該ハンディターミナル１５の無線通信部２８とアンテナ２７とアクセスポイント１６と通信回線２０と通信部７６を介してオーダーステーション１９にアクセスする（認証解除アクセス手段）。
【００５３】
オーダーステーション１９のＣＰＵ５１は、当該ハンディターミナル１５から認証解除伝文のアクセスがあると、図１１のフローチャートに示す処理を開始する。
【００５４】
先ず、ＳＴ６１として認証解除伝文を取得する（認証解除伝文取得手段）。
【００５５】
ＳＴ６２として認証解除伝文が有効か否かを判断する。ここで、認証解除伝文中の端末番号に対応するハンディターミナル管理テーブル５４２の認証フラグがオン（ＯＮ）であり、同端末番号に対応する操作者ＩＤが認証解除伝文中の操作者ＩＤと一致する場合には（ＳＴ６２−ＹＥＳ）、認証解除を有効とする。その場合には、ＣＰＵ５１は、ＳＴ６３として同端末番号に対応するハンディターミナル管理テーブル５４２の認証フラグをオフ（ＯＦＦ）にする。
【００５６】
また、ＳＴ６４として同端末番号に対応するハンディターミナル管理テーブル５４２の操作者ＩＤ，パスワード、氏名、操作者権限フラグをクリアする。
【００５７】
これに対応し、認証解除伝文中の端末番号に対応するハンディターミナル管理テーブル５４２の認証フラグがオフ（ＯＦＦ）している場合、または、同端末番号に対応する操作者ＩＤが認証解除伝文中の操作者ＩＤと一致しない場合には（ＳＴ６２−ＮＯ）、認証解除を無効とする。その場合には、ＣＰＵ５１は、ＳＴ６５として認証解除の失敗としてこの処理を終了させる。
【００５８】
本発明による実施の形態は、責任者権限を有する店長等は、どのハンディターミナル１５からも責任者業務を行うことが可能となる。また、オーダーステーション１９の設置されている場所まで出向くことがないので効率的に業務を行うことが可能である。また、メニュー価格等に対して異なる価格が設定されるようなことが防止される。
【００５９】
以上説明したように、本発明は前記実施の形態に限定されるものではなく、実施の段階ではその趣旨を逸脱しない範囲で種々に変形することが可能であるのは勿論である。
【図面の簡単な説明】
【００６０】
【図１】本発明の一実施の形態に係る飲食店システムの要部構成を示す模式図。
【図２】同実施の形態に係るハンディターミナルの要部構成を示すブロック図。
【図３】同実施の形態に係るハンディターミナルの要部構成を示す正面図。
【図４】同実施の形態に係るハンディターミナルの表示部に表示する操作者認証画面を示す図。
【図５】同実施の形態に係るハンディターミナルの表示部に表示する責任者業務画面を示す図。
【図６】同実施の形態に係るオーダーステーションの要部構成を示すブロック図。
【図７】同実施の形態に係るオーダーステーションのＨＤＤに形成した操作者権限管理テーブルのデータ構造を示す模式図。
【図８】同実施の形態に係るオーダーステーションのＨＤＤに形成したハンディターミナル管理テーブルのデータ構造を示す模式図。
【図９】同実施の形態に係るハンディターミナルのＣＰＵが実行する認証処理、伝文取得処理およびの要部を示すフローチャート。
【図１０】同実施の形態に係るオーダーステーションのＣＰＵが実行する認証処理伝文受信処理および認証解除処理の要部を示すフローチャート。
【図１１】同実施の形態に係るオーダーステーションのＣＰＵが実行する認証処理伝文受信処理および認証解除処理の要部を示すフローチャート。
【符号の説明】
【００６１】
１２…無線オーダーシステム、１５…ハンディターミナル、１６…アクセスポイント（無線基地局）、１９…オーダーステーション（上位装置）、２０…通信回線、２１、５１…ＣＰＵ、２４…表示部、２５…入力部、２５１…認証情報入力手段、５４１…操作者権限設定テーブル（操作者権限設定手段）、５４２…ハンディターミナル管理テーブル（ハンディターミナル管理手段）。
【図１】
2010186415.tif 000003
【図２】
2010186415.tif 000004
【図３】
2010186415.tif 000005
【図４】
2010186415.tif 000006
【図５】
2010186415.tif 000007
【図６】
2010186415.tif 000008
【図７】
2010186415.tif 000009
【図８】
2010186415.tif 000010
【図９】
2010186415.tif 000011
【図１０】
2010186415.tif 000012
【図１１】
2010186415.tif 000013